(57)【要約】【課題】設置対象床部の床下地の上部に非暖房用床仕上げ材が既設され、かつ、設置対象床部に連なる非設置対象床部が存在する場合において、設置作業性が優れた状態で、バリアフリーを満足する形態に床暖房装置を設置することが可能な床暖房装置の施工方法を提供する。【解決手段】設置対象床部ＦＳにおける床下地Ｇの上部の非暖房用床仕上げ材６を剥離除去した後、床暖房パネルＰＤ及び周辺パネルＰＬを、非設置対象床部ＦＵの床部材Ｕｄとの間に融通隙間ＬＵを隔てる状態で設置し、その後、床暖房用床仕上げ材８を、非設置対象床部ＦＵの床部材Ｕｄとの間に融通隙間ＬＵを隔てる状態で設置し、次に、長尺状の見切り部材ＭＳを、脚部１７Ｂを融通隙間ＬＵに挿入し且つ上壁部１７Ａを非設置対象床部ＦＵの床部材Ｕｄの上面と床暖房用床仕上げ材８の上面とに亘る状態に設置する。【選択図】図７
2013181374.tif 000002
【特許請求の範囲】
【請求項１】
設置対象床部における床下地の上部に、床暖房パネル、及び、その床暖房パネルの周辺に配置する周辺パネルを設置し、前記床暖房パネル及び前記周辺パネルの上部に、床暖房用床仕上げ材を設置する床暖房装置の施工方法であって、
前記設置対象床部における前記床下地の上部に非暖房用床仕上げ材が既設され、且つ、前記設置対象床部に連なる非設置対象床部が存在する場合には、前記非暖房用床仕上げ材を剥離除去した後、前記設置対象床部の前記床下地の上部に、前記床暖房パネル及び前記周辺パネルを、前記非設置対象床部における床部材との間に融通隙間を隔てる状態で設置し、その後、前記床暖房パネル及び前記周辺パネルの上部に、前記床暖房用床仕上げ材を、前記非設置対象床部における前記床部材との間に前記融通隙間を隔てる状態で設置し、
次に、前記融通隙間の横幅よりも大きな横幅を有する上壁部を前記融通隙間に挿入自在な脚部の上端に左右両側に張り出す形態で備える長尺状の見切り部材を、前記脚部を前記融通隙間に挿入し且つ前記上壁部を前記非設置対象床部の前記床部材の上面と前記床暖房用床仕上げ材の上面とに亘る状態に設置する床暖房装置の施工方法。
【請求項２】
前記見切り部材の前記脚部が、前記見切り部材の長手方向視にて、前記融通隙間の横幅よりも小幅となる状態で前記融通隙間に挿入されている請求項１記載の床暖房装置の施工方法。
【請求項３】
前記見切り部材が、前記上壁部における前記脚部の左右両側に張り出す左右一対の上壁部分のうちの一方側の高さ調節用上壁部分の下面を、先端側ほど下方となる傾斜状に形成し、且つ、前記高さ調節用上壁部分の下方に、下面が水平方向に沿う状態に形成されかつ上面が前記高さ調節用上壁部分の下面に沿う傾斜状に形成された高さ調節部材を装着自在に構成されて、
前記非設置対象床部の前記床部材の上面と前記床暖房用床仕上げ材の上面とが異なる高さの場合には、その高さの差に応じて前記高さ調節用上壁部分の張り出し方向での位置を調節した状態で前記高さ調節部材を設置する請求項１又は２に記載の床暖房装置の施工方法。
【請求項４】
前記見切り部材が、前記上壁部における前記脚部の左右両側に張り出す左右一対の上壁部分を高さ調節用上壁部分として、それら高さ調節用上壁部分の下面を、先端側ほど下方となる傾斜状に形成し、且つ、前記高さ調節用上壁部分の下方に、下面が水平方向に沿う状態に形成されかつ上面が前記高さ調節用上壁部分の下面に沿う傾斜状に形成された高さ調節部材を装着自在に構成されて、
前記非設置対象床部の前記床部材の上面と前記床暖房用床仕上げ材の上面とが異なる高さの場合には、その高さの差に応じて前記高さ調節用上壁部分の張り出し方向での位置を調節した状態で前記高さ調節部材を設置する請求項１又は２に記載の床暖房装置の施工方法。
【請求項５】
前記設置対象床部の周囲に壁状体が存在する場合には、前記非暖房用床仕上げ材を剥離除去する際に、前記非暖房用床仕上げ材における前記壁状体から設定間隔を隔てた分離箇所を前記壁状体に沿って切断して、前記非暖房用床仕上げ材のうちの前記分離箇所よりも内方側部分を剥離除去し、
前記設置対象床部の前記床下地の上部に、前記床暖房パネル及び前記周辺パネルを、前記非暖房用床仕上げ材のうちの前記分離箇所よりも外方側の残存部分との間に壁側隙間を隔てる状態で設置し、その後、前記床暖房パネル及び前記周辺パネルの上部に、前記床暖房用床仕上げ材を、前記残存部分との間に前記壁側隙間を隔てる状態で設置し、
次に、前記壁側隙間の幅よりも大きな横幅を有する上壁部を前記壁側隙間に挿入自在な脚部の上端に左右両側に張り出す形態で備える長尺状の壁側見切り部材を、前記脚部を前記壁側隙間に挿入し且つ前記上壁部を前記残存部分の上面と前記床暖房用床仕上げ材の上面とに亘る状態に設置する請求項１〜４のいずれか１項に記載の床暖房装置の施工方法。
【請求項６】
前記壁側見切り部材の前記脚部が、前記壁側見切り部材の長手方向視にて、前記壁側隙間の横幅よりも小幅となる状態で前記壁側隙間に挿入されている請求項５記載の床暖房装置の施工方法。
【請求項７】
前記壁側見切り部材が、前記上壁部における前記脚部の左右両側に張り出す左右一対の上壁部分のうちの一方側の高さ調節用上壁部分の下面を、先端側ほど下方となる傾斜状に形成し、且つ、前記高さ調節用上壁部分の下方に、下面が水平方向に沿う状態に形成されかつ上面が前記高さ調節用上壁部分の下面に沿う傾斜状に形成された高さ調節部材を装着自在に構成されて、
前記残存部分の上面と前記床暖房用床仕上げ材の上面とが異なる高さの場合には、その高さの差に応じて前記高さ調節用上壁部分の張り出し方向での位置を調節した状態で前記高さ調節部材を設置する請求項５又は６に記載の床暖房装置の施工方法。
【請求項８】
設置対象床部における床下地の上部に設置する床暖房パネル、その床暖房パネルの周辺の前記床下地の上部に設置する周辺パネル、及び、前記床暖房パネル及び前記周辺パネルの上部に設置する床暖房用床仕上げ材からなる暖房用パネル群と、前記設置対象床部に連なる非設置対象床部における床部材との間の融通隙間に設置される長尺状の見切り部材であって、
前記融通隙間の横幅よりも大きな横幅を有する上壁部を前記融通隙間に挿入自在な脚部の上端に左右両側に張り出す形態で備えるように構成され、
前記上壁部における前記脚部の左右両側に張り出す左右一対の上壁部分のうちの一方側の高さ調節用上壁部分の下面が、先端側ほど下方となる傾斜状に形成され、
前記高さ調節用上壁部分の下方に、下面が水平方向に沿う状態に形成されかつ上面が前記高さ調節用上壁部分の下面に沿う傾斜状に形成された高さ調節部材が配設されている見切り部材。
【請求項９】
前記上壁部における左右一対の前記上壁部分の上面が、先端側ほど下方となる傾斜状に形成されている請求項８記載の見切り部材。
【請求項１０】
周囲に壁状体が存在し且つ外周側に非暖房用床仕上げ材が既設されている設置対象床部における床下地の前記非暖房用床仕上げ材の非設置部分の上部に設置する床暖房パネル、その床暖房パネルの周辺の前記床下地の上部に設置する周辺パネル、及び、前記床暖房パネル及び前記周辺パネルの上部に設置する床暖房用床仕上げ材からなる暖房用パネル群と、前記非暖房用床仕上げ材との間の壁側隙間に設置される長尺状の壁側見切り部材であって、
前記壁側隙間の横幅よりも大きな横幅を有する上壁部を前記壁側隙間に挿入自在な脚部の上端に左右両側に張り出す形態で備えるように構成され、
前記上壁部における前記脚部の左右両側に張り出す左右一対の上壁部分のうちの一方側の高さ調節用上壁部分の下面が、先端側ほど下方となる傾斜状に形成され、
前記高さ調節用上壁部分の下方に、下面が水平方向に沿う状態に形成されかつ上面が前記高さ調節用上壁部分の下面に沿う傾斜状に形成された高さ調節部材が配設されている壁側見切り部材。
【請求項１１】
前記上壁部における左右一対の前記上壁部分の上面が、先端側ほど下方となる傾斜状に形成されている請求項１０記載の壁側見切り部材。
【請求項１２】
前記上壁部における一対の上壁部分のうちの、前記高さ調節部材が配設されない側の前記上壁部分の先端側部分が、弾性変形自在な軟質材にて形成されている請求項１０又は１１記載の壁側見切り部材。
【発明の詳細な説明】
【技術分野】
【０００１】
本発明は、設置対象床部における床下地の上部に、床暖房パネル、及び、その床暖房パネルの周辺に配置する周辺パネルを設置し、前記床暖房パネル及び前記周辺パネルの上部に、床暖房用床仕上げ材を設置する床暖房装置の施工方法、並びに、床暖房装置の施工に用いる見切り部材及び壁側見切り部材に関する。
【背景技術】
【０００２】
かかる床暖房装置の施工方法は、一戸建て住宅や集合住宅等の建物の設置対象床部に対して、床暖房パネル、周辺パネル、及び、床暖房用仕上げ材を設置して床暖房装置を構成する施工方法である。
ちなみに、床暖房パネルには、熱媒流通管を装備する場合が多いが、電気ヒータを装備する場合もある。
【０００３】
そして、建物が新築の場合等、床暖房装置を設置する設置対象床部の床下地が露出する状態となっている場合には、その露出している床下地の上部に、床暖房パネル、及び、周辺パネルを設置することになり、その設置した床暖房パネル及び周辺パネルの上部に、床暖房用床仕上げ材を設置することになる（例えば、特許文献１参照。）。
【０００４】
しかしながら、リフォームを行うとき等においては、設置対象床部の床下地の上部に、非暖房用床仕上げ材が既に設置されている場合がある。
このように、設置対象床部の床下地の上部に非暖房用床仕上げ材が既設されている場合においては、既設の非暖房用床仕上げ材の上部に、床暖房パネル、及び、周辺パネルを設置し、床暖房パネル及び周辺パネルの上部に、床暖房用床仕上げ材を設置することが行われている（例えば、特許文献２参照。）。
【先行技術文献】
【特許文献】
【０００５】
【特許文献１】特開２００７−５７２００号公報
【特許文献２】特開２０１０−１３３２５０号公報
【発明の概要】
【発明が解決しようとする課題】
【０００６】
設置対象床部の床下地の上部に非暖房用床仕上げ材が既設されている場合において、廊下等の非設置対象床部が、設置対象床部に連なる状態で存在する場合がある。
すなわち、例えば、設置対象床部がリビングルームや台所の場合には、その設置対象床部に連なる状態で廊下等の非設置対象床部が存在する場合がある等、設置対象床部に連なる非設置対象床部が存在する場合がある。
【０００７】
このような場合において、既設の非暖房用床仕上げ材の上部に、床暖房パネル、及び、周辺パネルを設置し、床暖房パネル及び周辺パネルの上部に、床暖房用床仕上げ材を設置すると、設置対象床部の床面の高さが、非設置対象床部の床面の高さよりもかなり高くなり、設置対象床部と非設置対象床部との間に大きな段差が生じることになる。
【０００８】
ちなみに、床暖房パネル及び周辺パネルの厚さ、並びに、床暖房用床仕上げ材の厚さは、一般には、１２ｍｍが多いが、近年では、例えば、６ｍｍ、５．５ｍｍ、４ｍｍ等、厚さが１２ｍｍよりも薄い、床暖房パネル、周辺パネル、及び、床暖房用床仕上げ材も開発されている。
しかしながら、このように厚さが薄い床暖房パネル、周辺パネル、及び、床暖房用床仕上げ材を用いるようにしても、既設の非暖房用床仕上げ材の上部に、床暖房パネル、及び、周辺パネルを設置し、床暖房パネル及び周辺パネルの上部に、床暖房用床仕上げ材を設置する場合においては、設置対象床部と非設置対象床部との間に大きな段差が生じることになる。
【０００９】
そして、近年においては、バリアフリーのために床面に段差がないようにすることが望まれる場合が多いが、上述の如く、設置対象床部と非設置対象床部との間に大きな段差が生じると、バリアフリーが要求される場合には、その要求を満足させることができないものとなる。
従って、設置対象床部の床下地の上部に非暖房用床仕上げ材が既設され、かつ、設置対象床部に連なる非設置対象床部が存在する場合においても、バリアフリーを満足する形態で床暖房装置を設置することが望まれている。
【００１０】
本発明は、上記実情に鑑みて為されたものであって、その目的は、設置対象床部の床下地の上部に非暖房用床仕上げ材が既設され、かつ、設置対象床部に連なる非設置対象床部が存在する場合において、設置作業性が優れた状態で、バリアフリーを満足する形態に床暖房装置を設置することが可能な床暖房装置の施工方法を提供する点にある。
【００１１】
本発明の別の目的は、床暖房装置の施工に便利に使用できる見切り部材、及び、壁側見切り部材を提供する点にある。
【課題を解決するための手段】
【００１２】
本発明の床暖房装置の施工方法は、設置対象床部における床下地の上部に、床暖房パネル、及び、その床暖房パネルの周辺に配置する周辺パネルを設置し、前記床暖房パネル及び前記周辺パネルの上部に、床暖房用床仕上げ材を設置する床暖房装置の施工方法であって、その第１特徴構成は、
前記設置対象床部における前記床下地の上部に非暖房用床仕上げ材が既設され、且つ、前記設置対象床部に連なる非設置対象床部が存在する場合には、前記非暖房用床仕上げ材を剥離除去した後、前記設置対象床部の前記床下地の上部に、前記床暖房パネル及び前記周辺パネルを、前記非設置対象床部における床部材との間に融通隙間を隔てる状態で設置し、その後、前記床暖房パネル及び前記周辺パネルの上部に、前記床暖房用床仕上げ材を、前記非設置対象床部における前記床部材との間に前記融通隙間を隔てる状態で設置し、
次に、前記融通隙間の横幅よりも大きな横幅を有する上壁部を前記融通隙間に挿入自在な脚部の上端に左右両側に張り出す形態で備える長尺状の見切り部材を、前記脚部を前記融通隙間に挿入し且つ前記上壁部を前記非設置対象床部の前記床部材の上面と前記床暖房用床仕上げ材の上面とに亘る状態に設置する点を特徴とする。
【００１３】
すなわち、床暖房装置を設置する設置対象床部における床下地の上部に非暖房用床仕上げ材が既設され、且つ、前記設置対象床部に連なる非設置対象床部が存在する場合においては、先ず、設置対象床部の床下地の上部に既設されている非暖房用床仕上げ材を剥離除去する。
そして、非暖房用床仕上げ材を剥離除去した後に、設置対象床部の床下地の上部に、床暖房パネル及び周辺パネルを、非設置対象床部における床部材との間に融通隙間を隔てる状態で設置し、その後、床暖房パネル及び周辺パネルの上部に、床暖房用床仕上げ材を、非設置対象床部における前記床部材との間に融通隙間を隔てる状態で設置する。
【００１４】
次に、融通隙間の横幅よりも大きな横幅を有する上壁部を融通隙間に挿入自在な脚部の上端に左右両側に張り出す形態で備える長尺状の見切り部材を、脚部を融通隙間に挿入し且つ上壁部を非設置対象床部の床部材の上面と床暖房用床仕上げ材の上面とに亘る状態に設置することになる。
【００１５】
このように、設置対象床部における床下地の上部に既設されている非暖房用床仕上げ材を剥離除去した後に、設置対象床部における床下地の上部に、床暖房パネル及び周辺パネルを設置し、設置した床暖房パネル及び周辺パネルの上部に、床暖房用床仕上げ材を設置することになるので、床暖房用床仕上げ材の上面の高さ、つまり、設置対象床部の床面の高さと、非設置対象床部の床面の高さとが大きく異なる状態になることを抑制できる。
【００１６】
そして、見切り部材を、脚部を融通隙間に挿入し且つ上壁部を非設置対象床部の床部材の上面と設置対象床部の床暖房用床仕上げ材の上面とに亘る状態に設置することにより、非設置対象床部の床部材の上面と設置対象床部の床暖房用床仕上げ材の上面とを、見切り部材にて一連に連なる状態に接続するため、設置作業性の優れた状態で、バリアフリーを満足させることができるのである。
【００１７】
つまり、非設置対象床部の床部材の上面と設置対象床部の床暖房用床仕上げ材の上面とが、隙間なくかつ凹凸がない状態で一連に連なるように、床暖房パネル、周辺パネル、及び、床暖房用床仕上げ材を設置すれば、バリアフリーを満足させることができるが、そのような高精度の設置状態に、床暖房パネル、周辺パネル、及び、床暖房用床仕上げ材を設置することは、煩雑で困難な作業となり、実際上は実施が困難なものである。
【００１８】
本第１特徴構成によれば、床暖房パネル及び周辺パネルを、非設置対象床部における床部材との間に融通隙間を隔てる状態で設置し、床暖房パネル及び周辺パネルの上部に、床暖房用床仕上げ材を、非設置対象床部における床部材との間に融通隙間を隔てる状態で設置して、非設置対象床部の床部材の上面と設置対象床部の床暖房用床仕上げ材の上面とを、見切り部材にて一連に連なる状態に接続して、バリアフリーを満足させるものである。
【００１９】
したがって、見切り部材にて覆われることになる融通隙間は、高精度の製作精度を必要としないため、床暖房パネル、周辺パネル、及び、床暖房用床仕上げ材を設置する設置作業が煩雑で困難な作業となることを回避して、設置作業の容易化を図りながら、バリアフリーを満足させることができるのである。
【００２０】
要するに、本発明の床暖房装置の施工方法の第１特徴構成によれば、設置対象床部の床下地の上部に非暖房用床仕上げ材が既設され、かつ、設置対象床部に連なる非設置対象床部が存在する場合において、設置作業性が優れた状態で、バリアフリーを満足する形態に床暖房装置を設置することが可能な床暖房装置の施工方法を提供できる。
【００２１】
本発明の床暖房装置の施工方法の第２特徴構成は、上記第１特徴構成に加えて、
前記見切り部材の前記脚部が、前記見切り部材の長手方向視にて、前記融通隙間の横幅よりも小幅となる状態で前記融通隙間に挿入されている点を特徴とする。
【００２２】
すなわち、見切り部材の脚部が、見切り部材の長手方向視にて、融通隙間の横幅よりも小幅となる状態で融通隙間に挿入されるものであるから、例えば、梅雨期において、床暖房パネル、周辺パネル、及び、床暖房用床仕上げ材が湿潤により膨張することや、非設置対象床部の床部材が湿潤により膨張することが発生しても、その膨張が許容されるものとなるため、設置対象床部の床面や非設置対象床部の床面を美麗な状態に維持できるものとなる。
【００２３】
つまり、設置対象床部に設置する床暖房パネル、周辺パネル、及び、床暖房用床仕上げ材は、乾燥により収縮し、湿潤により膨張する傾向となり、特に、周辺パネルや床暖房用床仕上げ材を、木質材にて構成する場合には、その傾向が顕著となるものであり、また、非設置対象床部の床部材も、その材質によっては、乾燥により収縮し、湿潤により膨張する傾向となる場合がある。
【００２４】
このように、床暖房パネル、周辺パネル、及び、床暖房用床仕上げ材が湿潤により膨張し、非設置対象床部の床部材が湿潤により膨張する傾向にあるため、膨張が許容されない場合には、例えば、床暖房用床仕上げ材に反りが発生して、設置対象床部の床面に凹凸が発生する等の不都合を生じる虞があるが、見切り部材の脚部が、見切り部材の長手方向視にて、融通隙間の横幅よりも小幅となる状態で融通隙間に挿入されて、床暖房パネル、周辺パネル、及び、床暖房用床仕上げ材が湿潤により膨張することや、非設置対象床部の床部材が湿潤により膨張することが許容されているため、設置対象床部の床面や非設置対象床部の床面を美麗な状態に維持できるのである。
【００２５】
要するに、本発明の床暖房装置の施工方法の第２特徴構成によれば、上記第１特徴構成による作用効果に加えて、設置対象床部の床面や非設置対象床部の床面を美麗な状態に維持できる床暖房装置の施工方法を提供できる。
【００２６】
本発明の床暖房装置の施工方法の第３特徴構成は、上記第１又は第２特徴構成に加えて、
前記見切り部材が、前記上壁部における前記脚部の左右両側に張り出す左右一対の上壁部分のうちの一方側の高さ調節用上壁部分の下面を、先端側ほど下方となる傾斜状に形成し、且つ、前記高さ調節用上壁部分の下方に、下面が水平方向に沿う状態に形成されかつ上面が前記高さ調節用上壁部分の下面に沿う傾斜状に形成された高さ調節部材を装着自在に構成されて、
前記非設置対象床部の前記床部材の上面と前記床暖房用床仕上げ材の上面とが異なる高さの場合には、その高さの差に応じて前記高さ調節用上壁部分の張り出し方向での位置を調節した状態で前記高さ調節部材を設置する点を特徴とする。
【００２７】
すなわち、床暖房パネル及び周辺パネルの厚さ、並びに、床暖房用仕上げ材の厚さを選定することにより、非設置対象床部の床部材の上面と設置対象床部の床暖房用床仕上げ材の上面とが、同じ高さとなるようにすることになるが、例えば、非設置対象床部における床部材の高さが極端に高い等により、非設置対象床部の床部材の上面と設置対象床部の床暖房用床仕上げ材の上面とが異なる高さになる場合がある。
【００２８】
このような場合には、左右一対の上壁部分のうちの下面が傾斜状に形成された高さ調節用上壁部分の下方に高さ調節部材を設置することになり、かつ、高さ調節部材の位置を、上壁部分の張り出し方向に沿って調節することにより、非設置対象床部の床部材の上面と設置対象床部の床暖房用床仕上げ材の上面との高さの差に拘わらず、見切り部材を適正状態に設置する。
【００２９】
つまり、非設置対象床部の床部材の上面と設置対象床部の床暖房用床仕上げ材の上面との高さの差が大きいほど、高さ調節部材を上壁部分の先端側に位置させるように、上壁部分の張り出し方向に沿って高さ調節部材の位置を調節することにより、見切り部材の脚部が鉛直方向に沿う姿勢となる適正状態に見切り部材を設置する。
【００３０】
尚、見切り部材の脚部が、鉛直方向に沿う姿勢から外れた傾斜姿勢になると、見切り部材の上壁部の左右の先端部のうちの一方が、床面から浮上した状態となる等、見切り部材の設置状態が不適正となるものとなる。
【００３１】
要するに、本発明の床暖房装置の施工方法の第３特徴構成によれば、上記第１又は第２特徴構成による作用効果に加えて、非設置対象床部の床部材の上面と設置対象床部の床暖房用床仕上げ材の上面との高さの差に拘わらず、見切り部材を適正状態に設置できる床暖房装置の施工方法を提供できる。
【００３２】
本発明の床暖房装置の施工方法の第４特徴構成は、上記第１又は第２特徴構成に加えて、
前記見切り部材が、前記上壁部における前記脚部の左右両側に張り出す左右一対の上壁部分を高さ調節用上壁部分として、それら高さ調節用上壁部分の下面を、先端側ほど下方となる傾斜状に形成し、且つ、前記高さ調節用上壁部分の下方に、下面が水平方向に沿う状態に形成されかつ上面が前記高さ調節用上壁部分の下面に沿う傾斜状に形成された高さ調節部材を装着自在に構成されて、
前記非設置対象床部の前記床部材の上面と前記床暖房用床仕上げ材の上面とが異なる高さの場合には、その高さの差に応じて前記高さ調節用上壁部分の張り出し方向での位置を調節した状態で前記高さ調節部材を設置する点を特徴とする。
【００３３】
すなわち、床暖房パネル及び周辺パネルの厚さ、並びに、床暖房用仕上げ材の厚さを選定することにより、非設置対象床部の床部材の上面と設置対象床部の床暖房用床仕上げ材の上面とが、同じ高さとなるようにすることになるが、例えば、非設置対象床部における床部材の高さが極端に高い等により、非設置対象床部の床部材の上面と設置対象床部の床暖房用床仕上げ材の上面とが異なる高さになる場合がある。
【００３４】
このような場合には、下面が傾斜状に形成された左右の高さ調節用上壁部分の下方に高さ調節部材を設置することになり、かつ、高さ調節部材の位置を、上壁部分の張り出し方向に沿って調節することにより、非設置対象床部の床部材の上面と設置対象床部の床暖房用床仕上げ材の上面との高さの差に拘わらず、見切り部材を適正状態に設置する。
【００３５】
つまり、非設置対象床部の床部材の上面と設置対象床部の床暖房用床仕上げ材の上面との高さの差に応じて、左右の高さ調節部材を、上壁部分の張り出し方向に沿って位置調節することにより、見切り部材の脚部が鉛直方向に沿う姿勢となる適正状態に見切り部材を設置する。
【００３６】
尚、見切り部材の脚部が、鉛直方向に沿う姿勢から外れた傾斜姿勢になると、見切り部材の上壁部の左右の先端部のうちの一方が、床面から浮上した状態となる等、見切り部材の設置状態が不適正となるものとなる。
【００３７】
要するに、本発明の床暖房装置の施工方法の第４特徴構成によれば、上記第１又は第２特徴構成による作用効果に加えて、非設置対象床部の床部材の上面と設置対象床部の床暖房用床仕上げ材の上面との高さの差に拘わらず、見切り部材を適正状態に設置できる床暖房装置の施工方法を提供できる。
【００３８】
本発明の床暖房装置の施工方法の第５特徴構成は、上記第１〜第４特徴構成のいずれかに加えて、
前記設置対象床部の周囲に壁状体が存在する場合には、前記非暖房用床仕上げ材を剥離除去する際に、前記非暖房用床仕上げ材における前記壁状体から設定間隔を隔てた分離箇所を前記壁状体に沿って切断して、前記非暖房用床仕上げ材のうちの前記分離箇所よりも内方側部分を剥離除去し、
前記設置対象床部の前記床下地の上部に、前記床暖房パネル及び前記周辺パネルを、前記非暖房用床仕上げ材のうちの前記分離箇所よりも外方側の残存部分との間に壁側隙間を隔てる状態で設置し、その後、前記床暖房パネル及び前記周辺パネルの上部に、前記床暖房用床仕上げ材を、前記残存部分との間に前記壁側隙間を隔てる状態で設置し、
次に、前記壁側隙間の幅よりも大きな横幅を有する上壁部を前記壁側隙間に挿入自在な脚部の上端に左右両側に張り出す形態で備える長尺状の壁側見切り部材を、前記脚部を前記壁側隙間に挿入し且つ前記上壁部を前記残存部分の上面と前記床暖房用床仕上げ材の上面とに亘る状態に設置する点を特徴とする。
【００３９】
すなわち、設置対象床部の周囲に壁状体が存在する場合には、非暖房用床仕上げ材を剥離除去する際に、非暖房用床仕上げ材における壁状体から設定間隔を隔てた分離箇所を壁状体に沿って切断して、非暖房用床仕上げ材のうちの分離箇所よりも内方側部分を剥離除去する。
上述の分離箇所の切断は、一般に、電動丸鋸を使用して行うことになるが、分離箇所が壁状体から離れているため、電動丸鋸を使用して良好に切断できることになる。
【００４０】
ちなみに、本第４特徴構成における設置対象床部の周囲に存在する壁状体とは、部屋を区画する壁体の他、例えば、設置対象床部が台所である場合には、システムキッチンやキッチンカウンターも壁状体であるとし、設置対象床部が寝室である場合には、クロゼットの扉も壁状体であるとする等、設置対象床部の周囲に立ち姿勢で壁状に存在する種々のものが壁状体に含まれるものである。
【００４１】
非暖房用床仕上げ材を剥離除去した後は、設置対象床部の床下地の上部に、床暖房パネル及び周辺パネルを、非暖房用床仕上げ材のうちの分離箇所よりも外方側の残存部分との間に壁側隙間を隔てる状態で設置し、その後、床暖房パネル及び周辺パネルの上部に、床暖房用床仕上げ材を、残存部分との間に壁側隙間を隔てる状態で設置する。
【００４２】
床暖房用床仕上げ材を設置した後は、壁側隙間の横幅よりも大きな横幅を有する上壁部を壁側隙間に挿入自在な脚部の上端に左右両側に張り出す形態で備える長尺状の壁側見切り部材を、脚部を壁側隙間に挿入し且つ上壁部を残存部分の上面と床暖房用床仕上げ材の上面とに亘る状態に設置する。
【００４３】
ちなみに、壁側見切り部材を設置する際に、非暖房用床仕上げ材の残存部分の全体を上壁部にて覆うようにすれば、残存部分の表面の模様と床暖房用床仕上げ材の表面の模様とが異なる場合において、床面に異なる模様が現れることを回避できる等、設置対象床部の床面を美麗な状態にできるものとなる。
【００４４】
このように、設置対象床部の周囲に壁状体が存在する場合には、非暖房用床仕上げ材を剥離除去する際に、非暖房用床仕上げ材における壁状体から設定間隔を隔てた分離箇所を壁状体に沿って切断して、非暖房用床仕上げ材のうちの分離箇所よりも内方側部分を剥離除去するものであるから、非暖房用床仕上げ材の剥離除去作業の容易化を図ることができるのである。
【００４５】
つまり、設置対象床部に既に設置されている非暖房用床仕上げ材を剥離除去する際に、設置対象床部の周囲に存在する壁状体の直近まで非暖房用床仕上げ材を剥離除去すると、壁状体を損傷する虞がある等により、非暖房用床仕上げ材を壁状体の直近まで剥離除去し難い場合があるが、このような場合には、非暖房用床仕上げ材における壁状体から設定間隔を隔てた分離箇所を壁状体に沿って切断して、非暖房用床仕上げ材のうちの分離箇所よりも内方側部分を剥離除去することにより、壁状体の損傷を抑制しながらも、非暖房用床仕上げ材の剥離除去作業を良好に行えることになる。
【００４６】
ちなみに、非暖房用床仕上げ材を壁状体の直近まで剥離除去し難い場合において、非暖房用床仕上げ材の壁状体の下端に隣接する部分を切断することが考えられるが、このような切断は、電動丸鋸を使用できないため、煩雑な作業となる虞があるが、本第３特徴構成によれば、分離箇所が壁状体から設定間隔離れているため、上述の如く、電動丸鋸を使用して良好に切断できるものとなる。
【００４７】
そして、壁側見切り部材を、脚部を壁側隙間に挿入し且つ上壁部を非暖房用床仕上げ材の残存部分の上面と設置対象床部の床暖房用床仕上げ材の上面とに亘る状態に設置することになるので、残存部分の上面と床暖房用床仕上げ材の上面とを、壁側見切り部材にて一連に連なる状態に接続することができ、設置対象床部の床面の外観を美麗な状態にすることができる。
【００４８】
つまり、一般には、残存部分の表面の模様と床暖房用床仕上げ材の表面の模様とが異なるものとなるため、例えば、残存部分の上面と床暖房用床仕上げ材の上面とが、隙間なくかつ凹凸がない状態で一連に連なるように、床暖房パネル、周辺パネル、及び、床暖房用床仕上げ材を設置しても、外観を美麗な状態にできないものとなるが、残存部分の上面と床暖房用床仕上げ材の上面とを、見切り部材にて一連に連なる状態に接続することにより、残存部分を見えないようにするあるいは見え難くできるため、設置対象床部の床面の外観を美麗な状態にすることができるのである。
【００４９】
ちなみに、壁側見切り部材を設置する際に、上述の如く、非暖房用床仕上げ材の残存部分の全体を上壁部にて覆うようにすれば、設置対象床部の床面を一層美麗な状態にできるものとなる。
【００５０】
要するに、本発明の床暖房装置の施工方法の第５特徴構成によれば、上記第１〜第３特徴構成のいずれかによる作用効果に加えて、設置対象床部の周囲に壁状体が存在する場合において、作業性の良い状態で設置作業を行うことができ、しかも、設置対象床部の床面の外観を美麗な状態にすることができる床暖房装置の施工方法を提供できる。
【００５１】
本発明の床暖房装置の施工方法の第６特徴構成は、上記第５特徴構成に加えて、
前記壁側見切り部材の前記脚部が、前記壁側見切り部材の長手方向視にて、前記壁側隙間の横幅よりも小幅となる状態で前記壁側隙間に挿入されている点を特徴とする。
【００５２】
すなわち、壁側見切り部材の脚部が、壁側見切り部材の長手方向視にて、壁側隙間の横幅よりも小幅となる状態で壁側隙間に挿入されるものであるから、例えば、梅雨期において、床暖房パネル、周辺パネル、及び、床暖房用床仕上げ材が湿潤により膨張することや、非暖房用床仕上げ材の残存部分が湿潤により膨張することが発生しても、その膨張が許容されるものとなるため、設置対象床部の床面を美麗な状態に維持できるものとなる。
【００５３】
つまり、設置対象床部に設置する床暖房パネル、周辺パネル、及び、床暖房用床仕上げ材は、乾燥により収縮し、湿潤により膨張する傾向となり、特に、周辺パネルや床暖房用床仕上げ材を、木質材にて構成する場合には、その傾向が顕著となるものであり、また、非暖房用床仕上げ材の残存部分も、その材質によっては、乾燥により収縮し、湿潤により膨張する傾向となる場合がある。
【００５４】
このように、床暖房パネル、周辺パネル、及び、床暖房用床仕上げ材が湿潤により膨張し、非暖房用床仕上げ材の残存部分が湿潤により膨張する傾向にあるため、膨張が許容されない場合には、例えば、床暖房用床仕上げ材に反りが発生して、設置対象床部の床面に凹凸が発生する等の不都合を生じる虞があるが、壁側見切り部材の脚部が、壁側見切り部材の長手方向視にて、壁側隙間の横幅よりも小幅となる状態で壁側隙間に挿入されて、床暖房パネル、周辺パネル、及び、床暖房用床仕上げ材が湿潤により膨張することや、非暖房用床仕上げ材の残存部分が湿潤により膨張することが許容されているため、設置対象床部の床面を美麗な状態に維持できるのである。
【００５５】
要するに、本発明の床暖房装置の施工方法の第６特徴構成によれば、上記第５特徴構成による作用効果に加えて、設置対象床部の床面を美麗な状態に維持できる床暖房装置の施工方法を提供できる。
【００５６】
本発明の床暖房装置の施工方法の第７特徴構成は、上記第５又は第６特徴構成に加えて、
前記壁側見切り部材が、前記上壁部における前記脚部の左右両側に張り出す左右一対の上壁部分のうちの一方側の高さ調節用上壁部分の下面を、先端側ほど下方となる傾斜状に形成し、且つ、前記高さ調節用上壁部分の下方に、下面が水平方向に沿う状態に形成されかつ上面が前記高さ調節用上壁部分の下面に沿う傾斜状に形成された高さ調節部材を装着自在に構成されて、
前記残存部分の上面と前記床暖房用床仕上げ材の上面とが異なる高さの場合には、その高さの差に応じて前記高さ調節用上壁部分の張り出し方向での位置を調節した状態で前記高さ調節部材を設置する点を特徴とする。
【００５７】
すなわち、床暖房パネル及び周辺パネルの厚さ、並びに、床暖房用仕上げ材の厚さを選定することにより、床暖房用仕上げ材の上面と残存部分の上面とが、同じ高さとなるようにすることになるが、例えば、残存部分（非暖房用床仕上げ材）の上面の高さが極端に高い等により、床暖房用仕上げ材の上面と残存部分（非暖房用床仕上げ材）の上面とが、異なる高さになる場合がある。
【００５８】
このような場合には、左右一対の上壁部分のうちの下面が傾斜状に形成された高さ調節用上壁部分の下方に高さ調節部材を設置することになり、かつ、高さ調節部材の位置を、高さ調節用上壁部分の張り出し方向に沿って調節することにより、床暖房用仕上げ材の上面と残存部分の上面との高さの差に拘わらず、壁側見切り部材を適正状態に設置する。
【００５９】
つまり、床暖房用仕上げ材の上面と残存部分の上面との高さの差が大きいほど、高さ調節部材を上壁部分の先端側に位置させるように、上壁部分の張り出し方向に沿って高さ調節部材の位置を調節することにより、壁側見切り部材の脚部が鉛直方向に沿う姿勢となる適正状態に見切り部材を設置する。
【００６０】
尚、壁側見切り部材の脚部が、鉛直方向に沿う姿勢から外れた傾斜姿勢になると、壁側見切り部材の上壁部の左右の先端部のうちの一方が、床面から浮上した状態となる等、壁側見切り部材の設置状態が不適正となるものである。
【００６１】
要するに、本発明の床暖房装置の施工方法の第７特徴構成によれば、上記第５又は第６特徴構成による作用効果に加えて、床暖房用仕上げ材の上面と残存部分の上面との高さの差に拘わらず、壁側見切り部材を適正状態に設置できる床暖房装置の施工方法を提供できる。
【００６２】
本発明の見切り部材は、設置対象床部における床下地の上部に設置する床暖房パネル、その床暖房パネルの周辺の前記床下地の上部に設置する周辺パネル、及び、前記床暖房パネル及び前記周辺パネルの上部に設置する床暖房用床仕上げ材からなる暖房用パネル群と、前記設置対象床部に連なる非設置対象床部における床部材との間の融通隙間に設置される長尺状の見切り部材であって、その第１特徴構成は、
前記融通隙間の幅よりも大きな横幅を有する上壁部を前記融通隙間に挿入自在な脚部の上端に左右両側に張り出す形態で備えるように構成され、
前記上壁部における前記脚部の左右両側に張り出す左右一対の上壁部分のうちの一方側の高さ調節用上壁部分の下面が、先端側ほど下方となる傾斜状に形成され、
前記高さ調節用上壁部分の下方に、下面が水平方向に沿う状態に形成されかつ上面が前記高さ調節用上壁部分の下面に沿う傾斜状に形成された高さ調節部材が配設されている点を特徴とする。
【００６３】
すなわち、設置対象床部における床下地の上部に設置する床暖房パネル、その床暖房パネルの周辺の前記床下地の上部に設置する周辺パネル、及び、床暖房パネル及び周辺パネルの上部に設置する床暖房用床仕上げ材からなる暖房用パネル群を、設置対象床部に連なる非設置対象床部における床部材の端部との間に融通隙間が形成されるように設置して、見切り部材を、脚部を融通隙間に挿入し且つ上壁部を非設置対象床部の床部材の上面と床暖房用床仕上げ材の上面とに亘る状態に設置することにより、非設置対象床部の床部材の上面と設置対象床部の床暖房用床仕上げ材の上面とを、見切り部材にて一連に連なる状態に接続することができ、バリアフリーを満足させることができるのである。
【００６４】
つまり、非設置対象床部の床部材の上面と設置対象床部の床暖房用床仕上げ材の上面とが、隙間なくかつ凹凸がない状態で一連に連なるように、床暖房パネル、周辺パネル、及び、床暖房用床仕上げ材を設置すれば、バリアフリーを満足させることができるが、そのような高精度の設置状態に、床暖房パネル、周辺パネル、及び、床暖房用床仕上げ材を設置することは、煩雑で困難な作業となり、実際上は実施が困難なものである。
【００６５】
暖房用パネル群を、非設置対象床部における床部材との間に融通隙間を隔てる状態で設置して、融通隙間を見切り部材にて覆うようにすれば、見切り部材にて覆われることになる融通隙間は、高精度の製作精度を必要としないため、暖房用パネル群の設置作業の容易化を図りながら、バリアフリーを満足させることが可能となるのである。
【００６６】
ところで、暖房用パネル群を、非設置対象床部における床部材との間に融通隙間を隔てる状態で設置した際に、非設置対象床部の床部材の上面と設置対象床部の床暖房用床仕上げ材の上面とが異なる高さとなる場合が考えられる。
【００６７】
つまり、床暖房パネル及び周辺パネルの厚さ、並びに、床暖房用仕上げ材の厚さを選定することにより、非設置対象床部の床部材の上面と設置対象床部の床暖房用床仕上げ材の上面とが、同じ高さとなるようにすることになるが、例えば、非設置対象床部における床部材の高さが極端に高い等により、非設置対象床部の床部材の上面と設置対象床部の床暖房用床仕上げ材の上面とが異なる高さになる場合がある。
【００６８】
このような場合には、左右一対の上壁部分のうちの下面が傾斜状に形成された上壁部分の下方に配設される高さ調節部材の位置を、上壁部分の張り出し方向に沿って調節することにより、非設置対象床部の床部材の上面と設置対象床部の床暖房用床仕上げ材の上面との高さの差に拘わらず、見切り部材を適正状態に設置することができる。
【００６９】
つまり、非設置対象床部の床部材の上面と設置対象床部の床暖房用床仕上げ材の上面との高さの差が大きいほど、高さ調節部材を上壁部分の先端側に位置させるように、上壁部分の張り出し方向に沿って高さ調節部材の位置を調節することにより、見切り部材の脚部が鉛直方向に沿う姿勢となる適正状態に見切り部材を設置することができる。
【００７０】
尚、見切り部材の脚部が、鉛直方向に沿う姿勢から外れた傾斜姿勢になると、見切り部材の上壁部の左右の先端部のうちの一方が、床面から浮上した状態となる等、見切り部材の設置状態が不適正となるものとなる。
【００７１】
要するに、本発明の見切り部材の第１特徴構成によれば、暖房用パネル群の設置作業の容易化を図りながら、バリアフリーを満足させることができ、しかも、非設置対象床部の床部材の上面と設置対象床部の床暖房用床仕上げ材の上面との高さの差に拘わらず、適正状態に設置できる見切り部材を提供できる。
【００７２】
本発明の見切り部材の第２特徴構成は、前記上壁部における左右一対の前記上壁部分の上面が、先端側ほど下方となる傾斜状に形成されている点を特徴とする。
【００７３】
すなわち、上壁部における左右一対の上壁部分の上面が、先端側ほど下方となる傾斜状に形成されているから、車椅子や電気掃除機等の走行体が、見切り部材の上部を乗り越えて走行することを良好に行うことができる。
【００７４】
ちなみに、上壁部分の張り出し方向に沿って高さ調節部材の位置を調節した際に、いずれの調節状態においても、高さ調節部材の先端部が、上壁部分の先端よりも外方に突出する状態となるように、高さ調節部材を形成しておけば、高さ調節部材の上面と高さ調節部材の上方に位置する上壁部分の上面とが、傾斜姿勢で連なる状態に維持できるため、車椅子や電気掃除機等の走行体が、見切り部材の上部を乗り越えて走行することを、一層良好に行えるものとなる。
【００７５】
要するに、本発明の見切り部材の第２特徴構成によれば、上記第１特徴構成による作用効果に加えて、見切り部材の上部を乗り越えて走行体が走行することを良好に行うことができる見切り部材を提供できる。
【００７６】
本発明の壁側見切り部材は、周囲に壁状体が存在し且つ外周側に非暖房用床仕上げ材が既設されている設置対象床部における床下地の前記非暖房用床仕上げ材の非設置部分の上部に設置する床暖房パネル、その床暖房パネルの周辺の前記床下地の上部に設置する周辺パネル、及び、前記床暖房パネル及び前記周辺パネルの上部に設置する床暖房用床仕上げ材からなる暖房用パネル群と、前記非暖房用床仕上げ材との間の壁側隙間に設置される長尺状の壁側見切り部材であって、その第１特徴構成は、
前記壁側隙間の幅よりも大きな横幅を有する上壁部を前記壁側隙間に挿入自在な脚部の上端に左右両側に張り出す形態で備えるように構成され、
前記上壁部における前記脚部の左右両側に張り出す左右一対の上壁部分のうちの一方側の高さ調節用上壁部分の下面が、先端側ほど下方となる傾斜状に形成され、
前記高さ調節用上壁部分の下方に、下面が水平方向に沿う状態に形成されかつ上面が前記高さ調節用上壁部分の下面に沿う傾斜状に形成された高さ調節部材が配設されている点を特徴とする。
【００７７】
すなわち、周囲に壁状体が存在し且つ外周側に非暖房用床仕上げ材が既設されている設置対象床部における床下地の非暖房用床仕上げ材の非設置部分の上部に設置する床暖房パネル、その床暖房パネルの周辺の床下地の上部に設置する周辺パネル、及び、床暖房パネル及び周辺パネルの上部に設置する床暖房用床仕上げ材からなる暖房用パネル群を、設置対象床部における非暖房用床仕上げ材との間に壁側隙間を隔てる状態に設置し、壁側見切り部材を、脚部を壁側隙間に挿入し且つ上壁部を暖房用パネル群の上面と非暖房用床仕上げ材の上面とに亘る状態に設置することにより、設置対象床部の周囲に壁状体が存在する場合において、暖房用パネル群の設置作業を容易に行うことができ、しかも、設置対象床部の床面の外観を美麗な状態にすることができる。
【００７８】
つまり、暖房用パネル群を、周囲に壁状体が存在する設置対象床部の床下地に設置する際に、設置対象床部の床下地に非暖房用床仕上げ材が既設されている場合には、非暖房用床仕上げ材を剥離除去することになるが、その際に、非暖房用床仕上げ材における壁状体から設定間隔を隔てた分離箇所を壁状体に沿って切断して、非暖房用床仕上げ材のうちの分離箇所よりも内方側部分を剥離除去することによって、設置対象床部の外周側に、非暖房用床仕上げ材が残存するようにする。
【００７９】
説明を加えると、設置対象床部に既に設置されている非暖房用床仕上げ材を剥離除去する際に、設置対象床部の周囲に存在する壁状体の直近まで非暖房用床仕上げ材を剥離除去すると、壁状体を損傷する虞がある等により、非暖房用床仕上げ材を壁状体の直近まで剥離除去し難い場合があるが、このような場合には、電動丸鋸を用いて、非暖房用床仕上げ材における壁状体から設定間隔を隔てた分離箇所を壁状体に沿って切断して、非暖房用床仕上げ材のうちの分離箇所よりも内方側部分を剥離除去することにより、壁状体の損傷を抑制しながらも、非暖房用床仕上げ材の剥離除去作業を良好に行えることになる。
【００８０】
そして、非暖房用床仕上げ材を剥離除去した後は、暖房用パネル群を、設置対象床部の床下地の上部に、設置対象床部の外周側に残存する非床暖房用床仕上げ材との間に壁側隙間を隔てる状態で設置し、その後、壁側見切り部材を、脚部を壁側隙間に挿入し且つ上壁部を暖房用パネル群の上面と非暖房用床仕上げ材の上面とに亘る状態に設置することにより、設置対象床部の床面の外観を美麗な状態にすることができる。
【００８１】
つまり、一般には、非暖房用床仕上げ材の表面の模様と床暖房用床仕上げ材の表面の模様とは異なるため、例えば、非暖房用床仕上げ材の上面と床暖房用床仕上げ材の上面とが、隙間なくかつ凹凸がない状態で一連に連なるように、暖房用パネル群を設置しても、外観を美麗な状態にできないものとなるが、非暖房用床仕上げ材の上面と床暖房用床仕上げ材の上面とを、見切り部材にて一連に連なる状態に接続することにより、設置対象床部の床面の外観を美麗な状態にすることができるのである。
【００８２】
ちなみに、壁側見切り部材を設置する際に、設置対象床部の外周側に残存する非暖房用床仕上げ材の全体を上壁部にて覆うようにすれば、設置対象床部の床面を一層美麗な状態にできるものとなる。
【００８３】
ところで、暖房用パネル群を、非設置対象床部の外周側の非暖房用床仕上げ材との間に壁側隙間を隔てる状態で設置した際に、暖房用パネル群の上面と非暖房用床仕上げ材の上面とが異なる高さとなる場合が考えられる。
【００８４】
つまり、床暖房パネル及び周辺パネルの厚さ、並びに、床暖房用仕上げ材の厚さを選定することにより、暖房用パネル群の上面と非暖房用床仕上げ材の上面とが、同じ高さとなるようにすることになるが、例えば、非暖房用床仕上げ材の上面の高さが極端に高い等により、暖房用パネル群の上面と非暖房用床仕上げ材の上面とが、異なる高さになる場合がある。
【００８５】
このような場合には、左右一対の上壁部分のうちの下面が傾斜状に形成された上壁部分の下方に配設される高さ調節部材の位置を、上壁部分の張り出し方向に沿って調節することにより、暖房用パネル群の上面と非暖房用床仕上げ材の上面との高さの差に拘わらず、壁側見切り部材を適正状態に設置することができる。
【００８６】
つまり、暖房用パネル群の上面と非暖房用床仕上げ材の上面との高さの差が大きいほど、高さ調節部材を上壁部分の先端側に位置させるように、上壁部分の張り出し方向に沿って高さ調節部材の位置を調節することにより、壁側見切り部材の脚部が鉛直方向に沿う姿勢となる適正状態に見切り部材を設置することができる。
【００８７】
尚、壁側見切り部材の脚部が、鉛直方向に沿う姿勢から外れた傾斜姿勢になると、壁側見切り部材の上壁部の左右の先端部のうちの一方が、床面から浮上した状態となる等、壁側見切り部材の設置状態が不適正となるものである。
【００８８】
要するに、本発明の壁側見切り部材の第１特徴構成によれば、暖房用パネル群の設置作業の容易化を図りながら、設置対象床部の床面の外観を美麗な状態にすることができ、しかも、暖房用パネル群の上面と非暖房用床仕上げ材の上面との高さの差に拘わらず、適正状態に設置できる壁側見切り部材を提供できる。
【００８９】
本発明の壁側見切り部材の第２特徴構成は、上記第１特徴構成に加えて、
前記上壁部における左右一対の前記上壁部分の上面が、先端側ほど下方となる傾斜状に形成されている点を特徴とする。
【００９０】
すなわち、上壁部における左右一対の上壁部分の上面が、先端側ほど下方となる傾斜状に形成されているから、例えば、設置対象床部の外周部を使用者が歩く際に、壁側見切り部材に躓くことを回避できる等、壁側見切り部材が使用の支障になることを抑制できる。
【００９１】
ちなみに、上壁部分の張り出し方向に沿って高さ調節部材の位置を調節した際に、いずれの調節状態においても、高さ調節部材の先端部が、上壁部分の先端よりも外方に突出する状態となるように、高さ調節部材を形成しておけば、高さ調節部材の上面と高さ調節部材の上方に位置する上壁部分の上面とが、傾斜姿勢で連なる状態に維持できるため、使用者が壁側見切り部材に躓くことを回避し易いものになる等、壁側見切り部材が使用の支障になることを一層適切に抑制できるものとなる。
【００９２】
要するに、本発明の壁側見切り部材の第２特徴構成によれば、上記第１特徴構成による作用効果に加えて、使用の支障になることを抑制できる壁側見切り部材を提供できる。
【００９３】
本発明の壁側見切り部材の第３特徴構成は、上記第１又は第２特徴構成に加えて、
前記上壁部における一対の上壁部分のうちの、前記高さ調節部材が配設されない側の前記上壁部分の先端側部分が、弾性変形自在な軟質材にて形成されている点を特徴とする。
【００９４】
すなわち、上壁部における一対の上壁部分のうちの、高さ調節部材が配設されない側の上壁部分の先端側部分が、弾性変形自在な軟質材にて形成されているから、壁側見切り部材を設置する際に、先端側部分が弾性変形自在な軟質材にて形成されている上壁部分を、設置対象床部の外周側の非暖房用床仕上げ材の上部を覆うように配置することにより、設置対象床部の外周側の非暖房用床仕上げ材の上部を、上壁部分にて的確に覆うことができる。
【００９５】
説明を加えると、設置対象床部の周囲に存在する壁状体には、凹凸が存在する場合があるが、そのような凹凸が存在しても、その凹凸を弾性変形自在な軟質材の弾性変形にて吸収しながら、設置対象床部の外周側の非暖房用床仕上げ材の上部を上壁部分にて的確に覆うことができるのである。
【００９６】
要するに、本発明の壁側見切り部材の第３特徴構成によれば、上記第１又は第３特徴構成による作用効果に加えて、設置対象床部の外周側の非暖房用床仕上げ材の上部を的確に覆うことができる壁側見切り部材を提供できる。
【図面の簡単な説明】
【００９７】
【図１】床暖房装置の設置前の設置対象床部を示す平面図
【図２】同床部の非暖房用床仕上げ材を剥離除去した状態の平面図
【図３】同床部に床暖房パネル及び周辺パネルを設置した状態の平面図
【図４】同床部に床暖房用床仕上げ材を設置した状態の平面図
【図５】同床部に見切り部材及び壁側見切り部材を設置した状態の平面図
【図６】床暖房装置の設置前の設置対象床部を示す縦断側面図
【図７】見切り部材の装着部を示す縦断側面図
【図８】壁側見切り部材の装着部を示す縦断側面図
【図９】第２実施形態の見切り部材の装着部を示す縦断側面図
【図１０】同部を示す縦断側面図
【図１１】第３実施形態の見切り部材の装着部を示す縦断側面図
【図１２】第４実施形態の見切り部材の装着部を示す縦断側面図
【図１３】第５実施形態の壁側見切り部材の装着部を示す縦断側面図
【図１４】同部を示す縦断側面図
【図１５】第６実施形態の壁側見切り部材の装着部を示す縦断側面図
【図１６】第７実施形態の見切り部材の装着部を示す縦断側面図
【発明を実施するための形態】
【００９８】
〔第１実施形態〕
以下、本発明の実施の形態を図面に基づいて説明する。
図１及び図６に示すように、本実施形態は、システムキッチンＫが配設されているＬＤＫの床部を設置対象床部ＦＳとして、この設置対象床部ＦＳに暖房装置を設置する場合を例示するものであり、非設置対象床部ＦＵとしての廊下１が、設置対象床部ＦＳに連なる状態で設けられ、また、設置対象床部ＦＳ及び非設置対象床部ＦＵの周囲に、壁体２が設置されている。
ちなみに、本実施形態においては、壁体２及びシステムキッチンＫが、設置対象床部ＦＳの周囲に存在する壁状体Ｈに相当することになる。
【００９９】
図６に示すように、設置対象床部ＦＳの床下地Ｇとしての合板製の下地材３が、根太４の上部に設置され、根太４の間に断熱材５が配置されている。
そして、図１及び図６に示すように、設置対象床部ＦＳの床下地Ｇには、非暖房用床仕上げ材６が設置されている。
ちなみに、本実施形態においては、非暖房用床仕上げ材６が、設置対象床部ＦＳ及び非設置対象床部ＦＵに亘って一連に設置されている場合を例示する。つまり、図７に示すように、非設置対象床部ＦＵにおける床部材Ｕｄが、非暖房用床仕上げ材６にて構成される場合を例示する。
【０１００】
尚、図６に示すように、本実施形態においては、壁体２の下端部に、巾木７が配設される場合を例示するが、巾木７が配設されない場合もある。
また、上述の如く、本実施形態においては、設置対象床部ＦＳの床下地Ｇが、合板製の下地材３にて構成される場合を例示するが、床下地Ｇとしては、コンクリートスラブ等、種々のものが適用できるものである。
【０１０１】
次に、設置対象床部ＦＳにおける床下地Ｇの上部に、床暖房パネルＰＤ、及び、その床暖房パネルＰＤの周辺に配置する周辺パネルＰＬを設置し、床暖房パネルＰＤ及び周辺パネルＰＬの上部に、床暖房用床仕上げ材８を設置する床暖房装置の施工方法を説明する。
すなわち、本実施形態においては、設置対象床部ＦＳにおける床下地Ｇの上部に非暖房用床仕上げ材６が既設され、且つ、設置対象床部ＦＳに連なる非設置対象床部ＦＵが存在し、さらには、設置対象床部ＦＳの周囲に壁状体Ｈが存在する場合において、設置対象床部ＦＳにおける床下地Ｇの上部に、床暖房パネルＰＤ、及び、その床暖房パネルＰＤの周辺に配置する周辺パネルＰＬを設置し、床暖房パネルＰＤ及び周辺パネルＰＬの上部に、床暖房用床仕上げ材８を設置する床暖房装置の施工方法を説明する。
【０１０２】
ちなみに、図７に示すように、本実施形態においては、床暖房パネルＰＤが、熱伝導率が低い発泡ポリスチレン等の発泡樹脂により断熱性を有するように構成された板状基材９に、架橋ポリエチレン管やポリブテン樹脂管等の樹脂により可撓性を有するように構成された熱媒流通管１０を、蛇行状に配設する形態に構成される場合を例示する。
つまり、板状基材９には、凹溝１１が蛇行状に形成され、その凹溝１１内に、熱媒流通管１０が配設されている。そして、板状基材９の上面の全面にわたって均熱用シート１２が貼着されている。
【０１０３】
尚、床暖房パネルＰＤは、図３に示すように、複数の暖房パネル部分Ｐｄを折り畳み自在に接続して、複数の暖房パネル部分Ｐｄを広げた状態において矩形状となるように構成されるものであるが、その具体構成は周知であるので、本実施形態においては、その詳細な説明は省略する。
【０１０４】
また、本実施形態においては、周辺パネルＰＬが、合板にて構成される場合を例示するものであって、具体的には、図３に示すように、合板を適当大きさに切断した複数の板状体１３にて構成されることになる。
【０１０５】
また、本実施形態においては、床暖房用床仕上げ材８が、木質系に構成される場合を例示するものであって、具体的には、図７に示すように、複数枚の短冊状のフローリング材８Ａを並設する形態に構成されている。
【０１０６】
以下、床暖房装置の施工方法を説明する。
図２に示すように、先ず、設置対象床部ＦＳにおける床下地Ｇの上部に既設されている非暖房用床仕上げ材６を剥離除去する。
本実施形態においては、設置対象床部ＦＳの周囲に、壁状体Ｈとして、壁体２及びシステムキッチンＫが存在する場合である。
【０１０７】
このため、非暖房用床仕上げ材６を剥離除去する際に、図６に示すように、非暖房用床仕上げ材６における壁状体Ｈから設定間隔ＬＳを隔てた分離箇所Ｂを壁状体Ｈに沿って切断して、非暖房用床仕上げ材６のうちの分離箇所Ｂよりも内方側部分を剥離除去することになる。設定間隔ＬＳは、本実施形態においては、１０ｍｍである。
したがって、非暖房用床仕上げ材６を剥離除去した後においては、設置対象床部ＦＳの外周側には、非暖房用床仕上げ材６の残存部分６Ａが存在することになる。
【０１０８】
尚、本実施形態においては、壁体２の下端部に巾木７が配設されているため、壁状体Ｈとしての壁体２についての設定間隔ＬＳは、巾木７の側面からの距離となるが、巾木７が配設されていない場合には、設定間隔ＬＳは、壁体２からの距離となる。
【０１０９】
ちなみに、本実施形態においては、非暖房用床仕上げ材６が、設置対象床部ＦＳ及び非設置対象床部ＦＵに亘って一連に設置されているため、非暖房用床仕上げ材６を剥離除去する際には、上述した壁状体Ｈから設定間隔ＬＳを隔てた分離箇所Ｂの切断に加えて、非暖房用床仕上げ材６における設置対象床部ＦＳと非設置対象床部ＦＵとの境界に対応する分離箇所Ａも切断した後、非暖房用床仕上げ材６を剥離除去することになる。
【０１１０】
非暖房用床仕上げ材６の切断は、図６に示すように、一般には、電動丸鋸Ｄを用いて行われることになる。
すなわち、電動丸鋸Ｄは、非暖房用床仕上げ材６の表面に摺接させる支持枠１４にて、丸鋸１５を備える本体部１６を支持するように構成されている。具体的には、支持枠１４が、平面視において、例えば４角形の額縁状に形成されて、丸鋸１５の左右及び前後を囲む状態で配置され、そして、本体部１６が、支持枠１４に対する高さを調節自在に構成されている。
【０１１１】
したがって、非暖房用床仕上げ材６を切断する際は、予め、支持枠１４に対する本体部１６の高さ、つまり、丸鋸１５の高さを変更調節することにより、切断深さ、つまり、丸鋸１５の下端部が支持枠１４の下方に突出する突出量を、非暖房用床仕上げ材６の厚さ（例えば、１２ｍｍ）に応じた量に調節する。
【０１１２】
その後、支持枠１４を非暖房用床仕上げ材６の表面に摺接させる状態で、電動丸鋸Ｄを壁状体Ｈに沿って移動させることにより、非暖房用床仕上げ材６における壁状体Ｈから設定間隔ＬＳを隔てた分離箇所Ｂを壁状体Ｈに沿って切断することになる。
尚、図６においては、支持枠１４が、壁体２の下端部の巾木７に当て付けられた状態を示している。
【０１１３】
ちなみに、後述する壁側見切り部材ＭＫにて、非暖房用床仕上げ材６の残存部分６Ａの全てを覆う場合には、分離箇所Ｂが上記設定間隔ＬＳとなるようにする必要があるが、システムキッチンＫの横脇箇所等、設置対象床部ＦＳのうちの見え難い箇所においては、分離箇所Ｂが上記設定間隔ＬＳよりも大きな間隔となるようにする形態で実施してもよい。
【０１１４】
非暖房用床仕上げ材６を剥離除去した後は、図３に示すように、設置対象床部ＦＳの床下地Ｇの上部に、床暖房パネルＰＤ及び周辺パネルＰＬを設置し、その後、図４に示すように、床暖房パネルＰＤ及び周辺パネルＰＬの上部に、床暖房用床仕上げ材８を設置することになる。
【０１１５】
床暖房パネルＰＤ、周辺パネルＰＬ及び床暖房用床仕上げ材８からなるパネル群を設置する場合には、床暖房用床仕上げ材８の上面と非暖房用床仕上げ材６の上面とが、同高さに揃うように、パネル群の厚さを選定することになる。
本実施形態においては、非暖房用床仕上げ材６の厚さが１２ｍｍであるため、例えば、床暖房パネルＰＤ、周辺パネルＰＬ及び床暖房用床仕上げ材８として、厚さが６ｍｍのものを選定する。
【０１１６】
そして、床暖房パネルＰＤ及び周辺パネルＰＬを設置する際には、図７に示すように、床暖房パネルＰＤ及び周辺パネルＰＬを、非設置対象床部ＦＵにおける床部材Ｕｄとの間に融通隙間ＬＵ（例えば、１０ｍｍ）を隔てる状態で設置し、かつ、図８に示すように、床暖房パネルＰＤ及び周辺パネルＰＬを、非暖房用床仕上げ材６のうちの分離箇所Ｂよりも外方側の残存部分６Ａとの間に壁側隙間ＬＫ（例えば、１０ｍｍ）を隔てる状態で設置する。
【０１１７】
尚、通常は、床暖房パネルＰＤの設置が終了した段階で、設置した床暖房パネルＰＤの熱媒流通管１０を通して熱媒（温水）を循環流動させるために、熱源機から延出される熱媒供給管や熱媒戻り管を、床暖房パネルＰＤに設けた熱媒供給ヘッダ（図示せず）に接続する配管処理が行われることになるが、そのような配管処理は周知であるので、本書ではその説明を省略する。
【０１１８】
また、床暖房用床仕上げ材８を設置する際には、図７に示すように、床暖房用床仕上げ材８を、非設置対象床部ＦＵにおける床部材Ｕｄとの間に融通隙間ＬＵを隔てる状態で設置し、かつ、図８に示すように、床暖房用床仕上げ材８を、残存部分６Ａとの間に壁側隙間ＬＫを隔てる状態で設置する。
【０１１９】
ちなみに、本実施形態においては、図３に示すように、周辺パネルＰＬが、床暖房パネルＰＤの全周囲を覆う状態に配置されているため、周辺パネルＰＬを、非設置対象床部ＦＵにおける床部材Ｕｄとの間に融通隙間ＬＵを隔てる状態で、かつ、残存部分６Ａとの間に壁側隙間ＬＫを隔てる状態で設置することになる。
【０１２０】
尚、周辺パネルＰＬが、床暖房パネルＰＤの全周囲のうちの一部を覆う状態に配置されている場合には、床暖房パネルＰＤにおける非設置対象床部ＦＵにおける床部材Ｕｄに対向する部分を、非設置対象床部ＦＵにおける床部材Ｕｄとの間に融通隙間ＬＵを隔てる状態で設置し、又は、床暖房パネルＰＤにおける残存部分６Ａに対向する部分を、残存部分６Ａとの間に壁側隙間ＬＫを隔てる状態で設置することになる。
【０１２１】
床暖房パネルＰＤ、周辺パネルＰＬ及び床暖房用床仕上げ材８からなるパネル群の設置が終了すると、図５に示すように、長尺状の見切り部材ＭＳ及び長尺状の壁側見切り部材ＭＫを設置する。
尚、見切り部材ＭＳ及び壁側見切り部材ＭＫは、合成樹脂の押し出し成型加工により、例えば、１８００〜２０００ｍｍの長さに形成されるものであって、設置箇所に応じて適当長さに切断されて使用されることになる。
【０１２２】
見切り部材ＭＳは、図７に示すように、融通隙間ＬＵの横幅よりも大きな横幅（例えば、２０ｍｍ）を有する上壁部１７Ａを、融通隙間ＬＵに挿入自在な脚部１７Ｂの上端に左右両側に張り出す形態で備える形態に構成されている。
【０１２３】
そして、このように構成された見切り部材ＭＳを、図７に示すように、脚部１７Ｂを融通隙間ＬＵに挿入し且つ上壁部１７Ａを非設置対象床部ＦＵの床部材Ｕｄの上面と床暖房用床仕上げ材８の上面とに亘る状態に設置する。
具体的には、上壁部１７Ａにおける左右一対の上壁部分１７ａのうちの一方の上壁部分１７ａの下面が、水平方向に沿う面に形成され、他方の上壁部分１７ａの下面が、先端側ほど下方となる傾斜状に形成されているため、一方の上壁部分１７ａの下面を、接着剤又は両面テープにて、非設置対象床部ＦＵの床部材Ｕｄの上面又は床暖房用床仕上げ材８の上面に取り付ける。尚、図７においては、一方の上壁部分１７ａの下面を、非設置対象床部ＦＵの床部材Ｕｄの上面に取り付ける場合を例示する。
【０１２４】
ちなみに、左右一対の上壁部分１７ａのうちの一つの上壁部分１７ａの下面を、上述の如く、先端側ほど下方となる傾斜状に形成するのは、後述の第２実施形態にて説明するように、高さ調節部材ＮＳ（図９参照）を設置するためであり、その詳細は後述する。
つまり、本実施形態の見切り部材ＭＳは、後述の第２実施形態においても使用できるものである。
【０１２５】
見切り部材ＭＳの脚部１７Ｂが、見切り部材ＭＳの長手方向視にて、融通隙間ＬＵの横幅よりも小幅となる状態で融通隙間ＬＵに挿入されて、床暖房パネルＰＤ、周辺パネルＰＬ及び床暖房用床仕上げ材８からなるパネル群や、非設置対象床部ＦＵの床部材Ｕｄが、湿潤により膨張することを許容するように構成されている。
尚、本実施形態においては、融通隙間ＬＵの横幅が、１０ｍｍであるのに対して、見切り部材ＭＳの脚部１７Ｂの横幅が、例えば、８ｍｍに形成されている。
【０１２６】
また、見切り部材ＭＳの上壁部１７Ａにおける左右一対の上壁部分１７ａの上面が、先端側ほど下方となる傾斜状に形成されて、車椅子及び電気掃除機等の走行体が、見切り部材ＭＳを乗り越えて走行することを、良好に行えるように構成されている。
尚、図７においては、左右一対の上壁部分１７ａの上面の全体が、先端側ほど下方となる傾斜状に形成される場合を例示するが、左右一対の上壁部分１７ａの上面のうちの先端側部分が、先端側ほど下方となる傾斜状に形成される形態で実施してもよい。
【０１２７】
壁側見切り部材ＭＫは、図８に示すように、壁側隙間ＬＫの横幅よりも大きな横幅を有する上壁部１８Ａを、壁側隙間ＬＫに挿入自在な脚部１８Ｂの上端に左右両側に張り出す形態で備える形態に構成されている。
【０１２８】
そして、このように構成された壁側見切り部材ＭＫを、脚部１８Ｂを壁側隙間ＬＫに挿入し且つ上壁部１８Ａを残存部分６Ａの上面と床暖房用床仕上げ材８の上面とに亘る状態に設置する。
具体的には、上壁部１８Ａにおける左右一対の上壁部分１８ａのうちの一方の上壁部分１８ａの下面が、水平方向に沿う面に形成され、他方の上壁部分１８ａの下面が、先端側ほど下方となる傾斜状に形成されているため、一方の上壁部分１８ａの下面を、接着剤又は両面テープにて、残存部分６Ａの上面又は床暖房用床仕上げ材８の上面に取り付ける。
尚、図８においては、一方の上壁部分１８ａの下面を、残存部分６Ａの上面に取り付ける場合を例示する。
【０１２９】
ちなみに、左右一対の上壁部分１８ａのうちの一つの上壁部分１８ａの下面を、上述の如く、先端側ほど下方となる傾斜状に形成するのは、後述の第５実施形態にて説明するように、高さ調節部材ＮＫ（図１３参照）を設置するためであり、その詳細は後述する。
つまり、本実施形態の壁側見切り部材ＭＫは、後述の第５実施形態においても使用できるものである。
【０１３０】
図８に示すように、壁側見切り部材ＭＫの脚部１８Ｂが、壁側見切り部材ＭＫの長手方向視にて、壁側隙間ＬＫの横幅よりも小幅となる状態で壁側隙間ＬＫに挿入されて、床暖房パネルＰＤ、周辺パネルＰＬ及び床暖房用床仕上げ材８からなるパネル群や、設置対象床部ＦＳの外周に残存する非暖房床仕上げ材６の残存部分６Ａが、湿潤により膨張することを許容するように構成されている。
尚、本実施形態においては、壁側隙間ＬＫの横幅が、１０ｍｍであるのに対して、壁側見切り部材ＭＫの脚部１８Ｂの横幅が、例えば、８ｍｍに形成されている。
【０１３１】
また、壁側見切り部材ＭＫの上壁部１８Ａにおける左右一対の上壁部分１８ａの上面が、先端側ほど下方となる傾斜状に形成されて、使用者が壁側見切り部材ＭＫに躓くことを抑制するように構成されている。
尚、図８においては、左右一対の上壁部分１８ａの上面の全体が、先端側ほど下方となる傾斜状に形成される場合を例示するが、左右一対の上壁部分１８ａの上面のうちの先端側部分が、先端側ほど下方となる傾斜状に形成される形態で実施してもよい。
【０１３２】
さらに、壁側見切り部材ＭＫの上壁部１８Ａにおける一対の上壁部分１８ａのうちの、高さ調節部材ＮＫが配設されない側の上壁部分１８ａの先端側部分１８ｚが、弾性変形自在な軟質材にて形成されており、壁状体Ｈに凹凸が存在しても、その凹凸を先端側部分１８ｚの弾性変形により吸収するように構成されている。
【０１３３】
以上の通り、本実施形態の床暖房装置の施工方法によれば、設置対象床部ＦＳの床下地Ｇの上部に非暖房用床仕上げ材６が既設され、かつ、設置対象床部ＦＳに連なる非設置対象床部ＦＵが存在する場合において、床暖房パネルＰＤ及び周辺パネルＰＬを、非設置対象床部ＦＵにおける床部材Ｕｄとの間に融通隙間ＬＵを隔てる状態で設置し、床暖房パネルＰＤ及び周辺パネルＰＬの上部に、床暖房用床仕上げ材８を、非設置対象床部ＦＵにおける床部材Ｕｄとの間に融通隙間ＬＵを隔てる状態で設置して、非設置対象床部ＦＵの床部材Ｕｄの上面と設置対象床部ＦＳの床暖房用床仕上げ材８の上面とを、見切り部材ＭＳにて一連に連なる状態に接続することにより、バリアフリーを満足させる満足する形態に床暖房装置を設置することができる。
【０１３４】
また、本実施形態の床暖房装置の施工方法によれば、設置対象床部ＦＳの周囲に壁状体Ｈが存在する場合には、非暖房用床仕上げ材６を剥離除去する際に、非暖房用床仕上げ材６における壁状体から設定間隔ＬＳを隔てた分離箇所Ｂを壁状体Ｈに沿って切断して、非暖房用床仕上げ材６のうちの分離箇所Ｂよりも内方側部分を剥離除去するものであるから、非暖房用床仕上げ材６の剥離除去作業の容易化を図ることができる。
【０１３５】
そして、非暖房用床仕上げ材６を剥離除去した後は、設置対象床部ＦＳの床下地Ｇの上部に、床暖房パネルＰＤ及び周辺パネルＰＬを、非暖房用床仕上げ材６のうちの分離箇所よりも外方側の残存部分６Ａとの間に壁側隙間ＬＫを隔てる状態で設置し、また、床暖房パネルＰＤ及び周辺パネルＰＬの上部に、床暖房用床仕上げ材８を、残存部分６Ａとの間に壁側隙間を隔てる状態で設置し、その後、壁側見切り部材ＭＫを、脚部１８Ｂを壁側隙間ＬＫに挿入し且つ上壁部１８Ａを非暖房用床仕上げ材６の残存部分６Ａの上面と設置対象床部ＦＳの床暖房用床仕上げ材８の上面とに亘る状態に設置するものであるから、残存部分６Ａの上面と床暖房用床仕上げ材８の上面とを、壁側見切り部材ＭＫにて一連に連なる状態に接続することができ、設置対象床部ＦＳの床面の外観を美麗な状態にすることができる。
【０１３６】
〔第２実施形態〕
次に、第２実施形態を説明するが、この第２実施形態は、上記第１実施形態における見切り部材ＭＳの別形態を示すものであるため、以下、第１実施形態と異なる部分について説明して、第１実施形態と同様な部分については、その説明を省略する。
【０１３７】
すなわち、図９及び図１０に示すように、見切り部材ＭＳは、第１実施形態で述べた如く、上壁部１７Ａにおける左右一対の上壁部分１７ａのうちの一方の上壁部分１７ａの下面が、水平方向に沿う面に形成され、他方の上壁部分１７ａの下面が、先端側ほど下方となる傾斜状に形成されている。
【０１３８】
この第２実施形態においては、一対の上壁部分１７ａのうちの下面が傾斜状に形成される上壁部分１７ａを、上壁部１７Ａにおける脚部１７Ｂの左右両側に張り出す左右一対の上壁部分１７ａのうちの一方側の高さ調節用上壁部分１７ｔとして、その高さ調節用上壁部分１７ｔの下方に、下面が水平方向に沿う状態に形成されかつ上面が高さ調節用上壁部分１７ｔの下面に沿う傾斜状に形成された高さ調節部材ＮＳが配設されている。
【０１３９】
高さ調節部材ＮＳは、高さ調節用上壁部分１７ｔの張り出し方向に沿って移動調節されることにより、高さ調節用上壁部分１７ｔに対する上下位置が変更されることになる。
つまり、高さ調節部材ＮＳは、高さ調節用上壁部分１７ｔの先端側に位置させるほど、高さ調節用上壁部分１７ｔに対して下方に位置することになる。
【０１４０】
したがって、図９に示すように、設置した床暖房用床仕上げ材８の上面が非設置対象床部ＦＵの上面に対してかなり低い場合には、高さ調節部材ＮＳを、高さ調節用上壁部分１７ｔの先端側に位置させるようにし、また、図１０に示すように、設置した床暖房用床仕上げ材８の上面が非設置対象床部ＦＵの上面に対して少し低い場合には、高さ調節部材ＮＳを、高さ調節用上壁部分１７ｔの先端側に位置させるようにすることにより、見切り部材ＭＳの脚部１７Ｂが鉛直方向に沿う姿勢となる適正状態に、見切り部材ＭＳを設置することができる。
【０１４１】
尚、本実施形態の見切り部材ＭＳは、設置した床暖房用床仕上げ材８の上面と非設置対象床部ＦＵの上面とが同じ高さとなる場合には、高さ調節部材ＮＳを外して、設置することにより、上記第１実施形態にて述べた如く、設置した床暖房用床仕上げ材８の上面と非設置対象床部ＦＵの上面とが同じ高さとなる場合にも使用できることになる。
【０１４２】
ちなみに、高さ調節部材ＮＳを備える見切り部材ＭＳを設置する際には、先ず、高さ調節部材ＮＳを、固定釘Ｅにて、床暖房用床仕上げ材８に止着し、その後、一対の上壁部分１７ａのうちの一方側の高さ調節用上壁部分１７ｔを、接着剤又は両面テープにて、高さ調節部材ＮＳの上面に止着し、かつ、一対の上壁部分１７ａのうちの他方側の高さ調節用上壁部分１７ｔを、接着剤又は両面テープにて、非設置対象床部ＦＵの上面に止着する。
【０１４３】
尚、図９及び図１０においては、設置した床暖房用床仕上げ材８の上面が非設置対象床部ＦＵの上面に対して低くなる場合を例示したが、設置した床暖房用床仕上げ材８の上面が非設置対象床部ＦＵの上面よりも高くなる場合には、高さ調節部材ＮＳ及び高さ調節用上壁部分１７ｔが、非設置対象床部ＦＵの上面に位置する状態に、見切り部材ＭＳを設置することになる。
【０１４４】
つまり、床暖房パネルＰＤ、周辺パネルＰＬ及び床暖房用床仕上げ材８からなるパネル群を設置する場合には、床暖房用床仕上げ材８の上面と非暖房用床仕上げ材６の上面とが、同高さに揃うように、パネル群の厚さを選定することになるが、非暖房用床仕上げ材６の厚さが極端に高い等、種々の理由により、床暖房用床仕上げ材８の上面と非暖房用床仕上げ材６の上面との高さを、同高さに揃えることができない場合には、高さ調節部材ＮＳを備えた見切り部材ＭＳを用いることになる。
【０１４５】
〔第３実施形態〕
次に、第３実施形態を説明するが、この第３実施形態は、上記第２実施形態における見切り部材ＭＳの別形態を示すものであり、以下、第２実施形態の見切り部材ＭＳと異なる部分について説明して、第２実施形態と同様な部分については、その説明を省略する。
【０１４６】
すなわち、図１１に示すように、高さ調節部材ＮＳの上面の上端部に、上方に突出する突起２０が形成され、これに対応して、高さ調節用上壁部分１７ｔの下面に、突起２０を嵌合する凹部２１が、高さ調節用上壁部分１７ｔの張り出し方向に沿って設定間隔おきに形成されている。
【０１４７】
したがって、高さ調節部材ＮＳを備える見切り部材ＭＳを設置する際には、先ず、高さ調節部材ＮＳを、固定釘Ｅにて、床暖房用床仕上げ材８に止着する。
その後、高さ調節用上壁部分１７ｔの凹部２１に高さ調節部材ＮＳの突起２０に嵌合させ、かつ、一対の上壁部分１７ａのうちの他方側の上壁部分１７ａを、接着剤又は両面テープにて、非設置対象床部ＦＵの上面に止着することになる。
【０１４８】
〔第４実施形態〕
次に、第４実施形態を説明するが、この第４実施形態は、上記第２実施形態で説明した見切り部材ＭＳの別形態を示すものであるため、以下、第２実施形態の見切り部材ＭＳと異なる部分について説明して、第２実施形態と同様な部分については、その説明を省略する。
【０１４９】
すなわち、図１２に示すように、高さ調節部材ＮＳの先端部に、高さ調節用上壁部分１７ｔの上方に向けて延びる延出部２４が連設されている。
この延出部２４の上面は、先端側ほど下方となる傾斜状に形成されている。
【０１５０】
この第４実施形態における高さ調節部材ＮＳを備える見切り部材ＭＳを設置する際には第２実施形態と同様に、先ず、高さ調節部材ＮＳを、固定釘Ｅにて、床暖房用床仕上げ材８に止着する。
その後、一対の上壁部分１７ａのうちの一方側の高さ調節用上壁部分１７ｔを、高さ調節部材ＮＳの延出部２４の下方に挿入しながら、接着剤又は両面テープにて、高さ調節部材ＮＳの上面に止着し、かつ、一対の上壁部分１７ａのうちの他方側の上壁部分１７ａを、接着剤又は両面テープにて、非設置対象床部ＦＵの上面に止着することになる。
【０１５１】
〔第５実施形態〕
次に、第５実施形態を説明するが、この第５実施形態は、上記第１実施形態にて説明した壁側見切り部材ＭＫの別形態を示すものであって、以下、第１実施形態の壁側見切り部材ＭＫと異なる部分について説明して、第１実施形態と同様な部分については、その説明を省略する。
【０１５２】
すなわち、図１３及び図１４に示すように、壁側見切り部材ＭＫは、第１実施形態で述べた如く、上壁部１８Ａにおける左右一対の上壁部分１８ａのうちの一方の上壁部分１８ａの下面が、水平方向に沿う面に形成され、他方の上壁部分１８ａの下面が、先端側ほど下方となる傾斜状に形成されている。
【０１５３】
この第５実施形態においては、一対の上壁部分１８ａのうちの下面が傾斜状に形成される上壁部分１８ａを、上壁部１８Ａにおける脚部１８Ｂの左右両側に張り出す左右一対の上壁部分１８ａのうちの一方側の高さ調節用上壁部分１８ｔとして、その高さ調節用上壁部分１８ｔの下方に、下面が水平方向に沿う状態に形成されかつ上面が高さ調節用上壁部分１８ｔの下面に沿う傾斜状に形成された高さ調節部材ＮＫが配設されている。
【０１５４】
高さ調節部材ＮＫは、高さ調節用上壁部分１８ｔの張り出し方向に沿って移動調節されることにより、高さ調節用上壁部分１８ｔに対する上下位置が変更されることになる。
つまり、高さ調節部材ＮＫは、高さ調節用上壁部分１８ｔの先端側に位置させるほど、高さ調節用上壁部分１８ｔに対して下方に位置することになる。
【０１５５】
したがって、図１３に示すように、設置した床暖房用床仕上げ材８の上面が、設置対象床部ＦＳの外周側に位置する非暖房用床仕上げ材６、つまり、非暖房用床仕上げ材６を剥離除去した際の残存部分６Ａの上面に対してかなり低い場合には、高さ調節部材ＮＫを、高さ調節用上壁部分１８ｔの先端側に位置させるようにし、また、図１４に示すように、設置した床暖房用床仕上げ材８の上面が残存部分６Ａの上面に対して少し低い場合には、高さ調節部材ＮＫを、高さ調節用上壁部分１８ｔの先端側に位置させるようにすることにより、壁側見切り部材ＭＫの脚部１８Ｂが鉛直方向に沿う姿勢となる適正状態に、壁側見切り部材ＭＫを設置することができる。
【０１５６】
ちなみに、高さ調節部材ＮＫを備える壁側見切り部材ＭＳを設置する際には、先ず、高さ調節部材ＮＫを、固定釘Ｅにて、床暖房用床仕上げ材８に止着する。
その後、一対の上壁部分１８ａのうちの一方側の高さ調節用上壁部分１８ｔを、接着剤又は両面テープにて、高さ調節部材ＮＫの上面に止着し、かつ、一対の上壁部分１７ａのうちの他方側の上壁部分１８ａを、接着剤又は両面テープにて、残存部分６Ａの上面に止着することになる。
【０１５７】
つまり、床暖房パネルＰＤ、周辺パネルＰＬ及び床暖房用床仕上げ材８からなるパネル群を設置する場合には、床暖房用床仕上げ材８の上面と非暖房用床仕上げ材６の残存部分６Ａの上面とが、同高さに揃うように、パネル群の厚さを選定することになるが、非暖房用床仕上げ材６の厚さが極端に高い等、種々の理由により、床暖房用床仕上げ材８の上面と非暖房用床仕上げ材６の上面との高さを、同高さに揃えることができない場合には、高さ調節部材ＮＫを備えた壁側見切り部材ＭＫを用いることになる。
【０１５８】
〔第６実施形態〕
次に、第６実施形態を説明するが、この第６実施形態は、上記第５実施形態における壁側見切り部材ＭＫの別形態を示すものであり、以下、第５実施形態の壁側見切り部材ＭＫと異なる部分について説明して、第５実施形態と同様な部分については、その説明を省略する。
【０１５９】
すなわち、図１５に示すように、高さ調節部材ＮＫの上面の上端部に、上方に突出する突起２２が形成され、これに対応して、高さ調節用上壁部分１８ｔの下面に、突起２２を嵌合する凹部２３が、高さ調節用上壁部分１８ｔの張り出し方向に沿って設定間隔おきに形成されている。
【０１６０】
したがって、高さ調節部材ＮＫを備える壁側見切り部材ＭＫを設置する際には、先ず、高さ調節部材ＮＫを、固定釘Ｅにて、床暖房用床仕上げ材８に止着する。
その後、一対の上壁部分１８ａのうちの一方側の高さ調節用上壁部分１８ｔの凹部２３に高さ調節部材ＮＫの突起２２を嵌合させ、かつ、一対の上壁部分１８ａのうちの他方側の上壁部分１８ａを、接着剤又は両面テープにて、残存部分６Ａの上面に止着することになる。
【０１６１】
〔第７実施形態〕
次に、第７実施形態を説明するが、この第７実施形態は、上記第２実施形態における見切り部材ＭＳの別形態を示すものであるため、以下、第２実施形態と異なる部分について説明して、第２実施形態と同様な部分については、その説明を省略する。
【０１６２】
すなわち、図１６に示すように、見切り部材ＭＳは、第２実施形態と異なり、上壁部１７Ａにおける左右一対の上壁部分１７ａの夫々の下面が、先端側ほど下方となる傾斜状に形成されている。
【０１６３】
そして、この第７実施形態においては、一対の上壁部分１７ａ夫々を高さ調節用上壁部分１７ｔとして、それら高さ調節用上壁部分１７ｔの下方に、下面が水平方向に沿う状態に形成されかつ上面が高さ調節用上壁部分１７ｔの下面に沿う傾斜状に形成された高さ調節部材ＮＳが配設される。
【０１６４】
高さ調節部材ＮＳは、高さ調節用上壁部分１７ｔの張り出し方向に沿って移動調節されることにより、高さ調節用上壁部分１７ｔに対する上下位置が変更されることになる。
つまり、高さ調節部材ＮＳは、高さ調節用上壁部分１７ｔの先端側に位置させるほど、高さ調節用上壁部分１７ｔに対して下方に位置することになる。
【０１６５】
したがって、図１６に示すように、設置した床暖房用床仕上げ材８の上面と非設置対象床部ＦＵの上面との高さが異なる場合には、左右の高さ調節用上壁部分１７ｔの下方に高さ調節部材ＮＳを配設することになる。
一対の高さ調節部材ＮＳの配設位置は、見切り部材ＭＳの脚部１７Ｂが鉛直方向に沿う姿勢となる適正状態となるように、適宜設定することになる。
【０１６６】
尚、本実施形態の見切り部材ＭＳは、設置した床暖房用床仕上げ材８の上面と非設置対象床部ＦＵの上面とが同じ高さとなる場合にも、一対の高さ調節部材ＮＳを配設する形態で、設置した床暖房用床仕上げ材８の上面と非設置対象床部ＦＵの上面とが同じ高さとなる場合にも使用できることになるが、設置した床暖房用床仕上げ材８の上面と非設置対象床部ＦＵの上面とが同じ高さとなる場合には、一対の高さ調節部材ＮＳを外して設置してもよい。
【０１６７】
ちなみに、高さ調節部材ＮＳを備える見切り部材ＭＳを設置する際には、先ず、一対の高さ調節部材ＮＳを、固定釘Ｅにて、設置対象床部ＦＳ及び非設置対象床部ＦＵに止着し、その後、左右の高さ調節用上壁部分１７ｔを、接着剤又は両面テープにて、高さ調節部材ＮＳの上面に止着する。
【０１６８】
〔別実施形態〕
次に、その他の別実施形態を説明する。
（イ）上記の第１実施形態においては、床暖房パネルＰＤとして、熱媒流通管１０を備える形態のものを例示したが、床暖房パネルＰＤとしては、電熱ヒータ（電熱線）を備える形態のものを用いてもよい。
【０１６９】
（ロ）上記の第１実施形態においては、見切り部材ＭＳの上壁部１７Ａにおける左右一対の上壁部分１７ａのうちの一方の上壁部分１７ａの下面が、水平方向に沿う面に形成され、他方の上壁部分１７ａの下面が、先端側ほど下方となる傾斜状に形成される場合を例示したが、一対の上壁部分１７ａの下面を、いずれも水平方向に沿う面に形成する形態で実施してもよい。
【０１７０】
つまり、見切り部材ＭＳとして、高さ調節部材ＮＳを備えるために、左右一対の上壁部分１７ａのうちの一方の上壁部分１７ａの下面を水平方向に沿う面に形成し、かつ、他方の高さ調節用上壁部分１７ｔの下面を先端側ほど下方となる傾斜状に形成するタイプのものと、一対の上壁部分１７ａの下面を、いずれも水平方向に沿う面に形成するものとの２種類の見切り部材ＭＳを用意して、使い分けるようにしてもよい。
【０１７１】
（ハ）上記の第１実施形態においては、壁側見切り部材ＭＫの上壁部１８Ａにおける左右一対の上壁部分１８ａのうちの一方の上壁部分１８ａの下面が、水平方向に沿う面に形成され、他方の上壁部分１８ａの下面が、先端側ほど下方となる傾斜状に形成される場合を例示したが、一対の上壁部分１８ａの下面を、いずれも水平方向に沿う面に形成する形態で実施してもよい。
【０１７２】
つまり、壁側見切り部材ＭＫとして、高さ調節部材ＮＫを備えるために、左右一対の上壁部分１８ａのうちの一方の上壁部分１８ａの下面を水平方向に沿う面に形成し、かつ、他方の高さ調節用上壁部分１８ｔの下面を先端側ほど下方となる傾斜状に形成するタイプのものと、一対の上壁部分１７ａの下面を、いずれも水平方向に沿う面に形成するものとの２種類の壁側見切り部材ＭＫを用意して、使い分けるようにしてもよい。
【０１７３】
（ニ）上記第１〜第実施形態では、見切り部材ＭＳ及び壁側見切り部材ＭＫが、合成樹脂にて形成される場合を例示したが、例えば、アルミニウム等の金属にて形成する等、見切り部材ＭＳ及び壁側見切り部材ＭＫを形成する材料は種々変更できる。
【０１７４】
（ホ）上記第１、第５、及び、第６実施形態においては、壁側見切り部材ＭＫにおける上壁部１８Ａの一対の上壁部分１８ａのうちの、高さ調節部材ＮＫが配設されない側の上壁部分１８ａの先端側部分１８ｚが、軟質材にて形成される場合を例示したが、上壁部分１８ａの先端側部分１８ｚを軟質材にて形成しない形態で実施してもよく、この場合、壁側見切り部材ＭＫとして、見切り部材ＭＳを用いることができる。
【０１７５】
尚、壁側見切り部材ＭＫにおける上壁部分１８ａの先端側部分１８ｚを軟質材にて形成しない場合には、必要に応じて、壁側見切り部材ＭＫにおける上壁部１８Ａの先端部を壁状体Ｈから少し離間させた状態で壁側見切り部材ＭＫを設置するとよい。
【符号の説明】
【０１７６】
６        非暖房用床仕上げ材
８        床暖房用床仕上げ材
１７Ａ    上壁部
１７ａ    上壁部分
１７Ｂ    脚部
１７ｔ    高さ調節用上壁部分
１８Ａ    上壁部
１８ａ    上壁部分
１８Ｂ    脚部
１８ｔ    高さ調節用上壁部分
１８ｚ    先端側部分
ＦＳ      設置対象床部
ＦＵ      非設置対象床部
Ｇ        床下地
Ｈ        壁状体
ＭＫ      壁側見切り部材
ＭＳ      見切り部材
ＮＫ      高さ調節部材
ＮＳ      高さ調節部材
ＰＤ      床暖房パネル
ＰＬ      周辺パネル
Ｕｄ      床部材
ＬＳ      設定間隔
ＬＫ      壁側隙間
ＬＵ      融通隙間
【図１】
2013181374.tif 000003
【図２】
2013181374.tif 000004
【図３】
2013181374.tif 000005
【図４】
2013181374.tif 000006
【図５】
2013181374.tif 000007
【図６】
2013181374.tif 000008
【図７】
2013181374.tif 000009
【図８】
2013181374.tif 000010
【図９】
2013181374.tif 000011
【図１０】
2013181374.tif 000012
【図１１】
2013181374.tif 000013
【図１２】
2013181374.tif 000014
【図１３】
2013181374.tif 000015
【図１４】
2013181374.tif 000016
【図１５】
2013181374.tif 000017
【図１６】
2013181374.tif 000018